(57)【特許請求の範囲】
【請求項１】
上部が開口されるとともに、内部にグリルユニットが配置される筐体と、
前記筐体の上部を覆う天板と、
前記グリルユニットと前記天板との間において前記グリルユニットの上方を覆い、前記グリルユニットから前記天板への熱伝導を防止する遮熱板と、
前記グリルユニットの左右のうち少なくともいずれか一方に設けられ、バーナを前記筐体の内部に取り付ける取付台とを備えたこんろであって、
前記天板の外縁は、前記筐体の外周に沿うように下方に折り返されており、
前記筐体の左右の側壁のうち少なくとも一方における上部であって、前記天板の前記外縁に覆われる位置には、前記取付台の一端部を取り付ける第一取付部が設けられており、
前記遮熱板の左右の端部のうち少なくともいずれか一方には、前記取付台の前記一端部とは反対側の他端部を取り付ける第二取付部が設けられており、
前記取付台の前記一端部は、前記筐体の前記側壁側の端部から上方に延びる取付片を備え、
前記第一取付部は、前記取付片を差し込むための差込孔を備え、
前記取付台は、前記差込孔に対して前記取付片が下方から差し込まれた状態で前記一端部が前記第一取付部に取り付けられ、前記他端部が前記第二取付部に取り付けられた状態で、前記筐体の前記側壁と前記遮熱板の前記端部との間を架設していること
を特徴とするこんろ。
【請求項２】
前記第一取付部は、前記筐体の左右の前記側壁に設けられており、
前記第二取付部は、前記遮熱板における左右の前記端部に設けられており、
一対の前記取付台は、前記一端部と前記他端部とが前記筐体の前後方向における同じ位置に配置された状態で、前記筐体の左右の前記側壁のそれぞれと前記遮熱板の左右の前記端部のそれぞれとの間を左右方向に延びて架設しており、
前記遮熱板は、上面から上方又は下方に突出し、且つ左右方向に延びる第一ビード部を備え、
前記第一ビード部は、前記筐体の前後方向において前記取付台が左右方向に延びる位置と同じ位置において、前記第二取付部同士の間を左右方向に延びていることを特徴とする請求項１に記載のこんろ。
【請求項３】
前記遮熱板の前記端部には、上面から上方又は下方に突出し、且つ前記第二取付部を取り囲むように延びる第二ビード部が設けられていることを特徴とする請求項１又は２に記載のこんろ。
【発明の詳細な説明】
【技術分野】
【０００１】
本発明は、グリル庫を備えたこんろに関する。
【背景技術】
【０００２】
従来、グリル庫を備えたこんろが知られている。特許文献１に開示されたこんろは、こんろの筐体の内部に、直方体状にアセンブリされたグリル庫を設置している。グリル庫が設けられるこんろでは、バーナ及びバーナの近傍に設置する電装部品を筐体の内部に取り付けるための取付機構が、筐体の側壁とグリル庫との間に架設されることがある。上記のこんろでは、取付機構を取り付けるための取付孔を筐体の側壁に設けるとともに、取付機構のグリル庫側の端部をグリル庫に対して螺子止めすることで、取付機構が筐体の側壁とグリル庫との間に架設される。
【先行技術文献】
【特許文献】
【０００３】
【特許文献１】特開２０１４−５４４６５号公報
【発明の概要】
【発明が解決しようとする課題】
【０００４】
このような取付機構を取り付けるための取付孔等の取付部が、筐体の側壁において使用者の目線で目立つ位置に設けられると、こんろの美観が損なわれる可能性がある。例えば、取付部を側壁の上部に設ければ、筐体の上部を覆う天板等を用いて取付部を使用者の目線から固定部を隠すことができる。この場合、取付機構のグリル庫側を、筐体の内部の従来よりも高い位置に配置しなければならない。取付機構は、筐体の内部にバーナを安定して取り付けなくてはならない。例えば、取付機構のグリル庫側の端部を、単にグリル庫の上部に対して螺子止めすると、天板側から筐体内部に向けて浸入した煮汁などの液体が、取付機構を介して、グリル庫上部の螺子孔等からグリル庫内に浸入する等の不具合が生ずる可能性がある。このように、従来のこんろでは、筐体内部における取付機構の配置を上方に変更した場合に、こんろに生ずる不具合を解消し難いといった問題がある。
【０００５】
本発明はこのような問題点を解決するためになされたものであり、バーナを筐体の内部に取り付けるための取付機構の取付手法を工夫することで、こんろに生ずる不具合を解消しつつ、こんろの美観を向上できるこんろを提供することを目的とする。
【課題を解決するための手段】
【０００６】
本発明の請求項１に係るこんろは、上部が開口されるとともに、内部にグリルユニットが配置される筐体と、前記筐体の上部を覆う天板と、前記グリルユニットと前記天板との間において前記グリルユニットの上方を覆い、前記グリルユニットから前記天板への熱伝導を防止する遮熱板と、前記グリルユニットの左右のうち少なくともいずれか一方に設けられ、バーナを前記筐体の内部に取り付ける取付台とを備えたこんろであって、前記天板の外周部は、前記筐体の外周に沿うように下方に折り返されており、前記筐体の左右の側壁のうち少なくとも一方における上部であって、前記天板の前記外周部に覆われる位置には、前記取付台の一端部を取り付ける第一取付部が設けられており、前記遮熱板の左右の端部のうち少なくともいずれか一方には、前記取付台の前記一端部とは反対側の他端部を取り付ける第二取付部が設けられており、前記取付台の前記一端部は、前記筐体の前記側壁側の端部から上方に延びる取付片を備え、前記第一取付部は、前記取付片を差し込むための差込孔を備え、前記取付台は、前記差込孔に対して前記取付片が下方から差し込まれた状態で前記一端部が前記第一取付部に取り付けられ、前記他端部が前記第二取付部に取り付けられた状態で、前記筐体の前記側壁と前記遮熱板の前記端部との間を架設していることを特徴とする。
【０００７】
請求項２に係るこんろは、請求項１に記載の構成に加えて、前記第一取付部は、前記筐体の左右の前記側壁に設けられており、前記第二取付部は、前記遮熱板における左右の前記端部に設けられており、一対の前記取付台は、前記一端部と前記他端部とが前記筐体の前後方向における同じ位置に配置された状態で、前記筐体の左右の前記側壁のそれぞれと前記遮熱板の左右の前記端部のそれぞれとの間を左右方向に延びて架設しており、前記遮熱板は、上面から上方又は下方に突出し、且つ左右方向に延びる第一ビード部を備え、前記第一ビード部は、前記筐体の前後方向において前記取付台が左右方向に延びる位置と同じ位置において、前記第二取付部同士の間を左右方向に延びていることを特徴とする。
【０００８】
請求項３に係るこんろは、請求項１又は２に記載の構成に加えて、前記遮熱板の前記端部には、上面から上方又は下方に突出し、且つ前記第二取付部を取り囲むように延びる第二ビード部が設けられていることを特徴とする。
【発明の効果】
【０００９】
請求項１に係るこんろは、筐体の少なくとも一方の側壁に、取付台の一端部を取り付ける第一取付部を設けている。第一取付部は、側壁における上部に設けられているので、例えば、側壁における中央部や下部に設けられている場合に比べて、第一取付部が目立ちにくい。さらに、天板が筐体の上部を覆うので、第一取付部が使用者の目線から目立ちにくくなる。特に、天板の外縁が、下方に折り返されており、天板の外縁によって第一取付部が覆われるので、第一取付部がより目立ちにくくなる。また、請求項１に係るこんろは、グリルユニットよりも上方に設けられている遮熱板に、第二取付部を設けている。このため、第一取付部の上下方向における位置を従来よりも上方に変更されても、取付台の一端部を第一取付部に取り付け、取付台の他端部を第二取付部に取り付けることで、取付台が筐体の側壁と遮熱板との間を架設される。例えば、天板側から筐体内部に向けて浸入した煮汁などの液体が、取付台によって受け止められることがある。請求項１に係るこんろは、取付台の他端部を取り付ける第二取付部を、グリルユニットに直接設けるのではなく、遮熱板に設けているので、取付台によって受け止められた液体がグリルユニットの内部に浸入し難い。このような取付台の取付手法の工夫により、請求項１に係るこんろは、こんろに生ずる不具合を解消しつつ、こんろの美観を向上できる。
【００１０】
請求項２に係るこんろは、請求項１に記載の発明の効果に加えて、遮熱板に第一ビード部が設けられているので、例えば遮熱板が薄板で形成される場合であっても、遮熱板の強度が向上する。第一ビード部は、取付台が左右方向に延びる位置と前後方向において同じ位置において、第二取付部同士の間を左右方向に延びている。このため、取付台と第一ビード部とが、前後方向における同じ位置で、筐体の内部を左右方向に亘って延びた状態で、筐体の内部に配置される。この場合、取付台と第一ビード部とによって、筐体が歪みにくくなるので、取付台を従来よりも上方に設けても、取付台が筐体内部に安定して取り付けられる。また、こんろ全体の強度も向上する。したがって、請求項２に係るこんろは、取付台を従来よりも上方に設けても、こんろ全体の強度が低下するような不具合を解消しつつ、こんろの美観を向上できる。
【００１１】
請求項３に係るこんろは、請求項１又は２に記載の発明の効果に加えて、遮熱板に第二ビード部が設けられているので、例えば遮熱板が薄板で形成される場合であっても、第二取付部における遮熱板の強度が向上する。これにより、請求項３に係るこんろは、取付台を従来よりも上方に設けても、取付台を筐体内部に安定して取り付けることができる。また、天板側から筐体内部に向けて浸入した煮汁などの液体が、天板の下面を伝うこと等で、遮熱板の上面に受け止められることがある。このような場合であっても、第二ビード部が第二取付部を取り囲むように設けられているので、遮熱板の上面の液体が第二ビード部に阻まれて第二取付部に向かいにくい。したがって、遮熱板の上面からグリルユニットの上部に向けて液体が侵入し難い。したがって、請求項３に係るこんろは、筐体内部に向けて浸入した液体による不具合を解消しつつ、こんろの美観を向上できる。
【図面の簡単な説明】
【００１２】
【図１】こんろ１の斜視図である。
【図２】天板を省略したこんろ１の斜視図である。
【図３】こんろ１の分解斜視図である。
【図４】バーナ取付台２７の斜視図である。
【図５】バーナ取付台２７の平面図である。
【図６】遮熱板７０の斜視図である。
【図７】遮熱板７０の平面図である。
【発明を実施するための形態】
【００１３】
以下、本発明の実施形態について、図面を参照して説明する。以下に記載されている装置の構造などは、特定的な記載がない限り、それのみに限定する趣旨ではなく、単なる説明例である。図面は、本発明が採用しうる技術的特徴を説明するために用いられるものである。以下説明は、図中に矢印で示す左右、前後、上下を使用する。
【００１４】
図１及び図２を参照して、こんろ１の概略構成を説明する。こんろ１は、グリル付きテーブルこんろである。こんろ１は、筐体２と天板３を備える。筐体２は、上面に開口部２５（図２参照）を備えた略直方体状に形成されている。
【００１５】
天板３は、平面視略矩形状に形成され、筐体２の開口部２５の上部に設置されている。本実施形態では、天板３は、板金をプレス加工することで一体に形成される。天板３の少なくとも上側の表面には、煮こぼれした液体等による汚れの固着を防止するため、ホーローによるコーティングが施されている。
【００１６】
天板３の上面８１における略中央には、バーナ開口８３，８３を含み、上面８１よりも一段下方に窪んだ部分である凹部８２が設けられている。バーナ開口８３，８３は、凹部８２の前後方向略中央部に形成されている左右一対の略円形の開口部である。天板３が筐体２の上部に設置されることで、左右一対のこんろバーナ５，５が筐体２側から上方に突出して、各バーナ開口８３の中央に臨む。天板３の左右方向の中央部の後端側には、排気口部９が設けられている。排気口部９は、平面視左右方向に長い略矩形状に形成されている。排気口部９は、筐体２内に設置されたグリル庫５００（図２参照）内の燃焼によって生じた燃焼ガスを外部に排出する。排気口部９には、複数のスリット１９１を備える安全カバー１９０が上側から装着されている。天板３の外縁には、上面８１から延設された板金が筐体２上部の外周に沿うように下方に折り返された外周部８９が設けられている。天板３は、筐体２の上部に配置され、外周部８９の複数の所定位置においてねじ止めされて筐体２に固定される。
【００１７】
図２に示すように、筐体２は、筐体本体部２０、前板部２４の二つの板金部材を互いに組み付け、ねじ（図示せず）で固定することによって構成されている。筐体本体部２０は、前側が開口する平面視略Ｕ字形状に形成されている。筐体本体部２０は、右側板部２１、左側板部２２、後板部２３を備える。右側板部２１は、筐体２の右側壁をなす。右側板部２１の上部における前後方向略中央部には、前後方向に並ぶ一対の引掛孔２１２を内側に備える固定部２１１が設けられている。左側板部２２は、筐体２の左側壁をなす。左側板部２２の上部における前後方向略中央部には、前後方向に並ぶ一対の引掛孔２２２を内側に備える固定部２２１が設けられている（図３参照）。固定部２１１，２２１の上下方向における位置は略同じであり、右側板部２１及び左側板部２２の上下方向における中央よりも上方に設けられている。本実施形態では、固定部２１１，２２１の上下方向における位置は、図１に示すように、筐体２の上部に配置された天板３の外周部８９によって隠れ得る位置である。後板部２３は、筐体２の後側壁をなし、右側板部２１及び左側板部２２のそれぞれの後端部同士を繋いでいる。このような筐体本体部２０の開口する前側に、正面視略矩形状の前板部２４がねじ（図示せず）で組み付けられている。前板部２４は、筐体２の前側壁をなす。
【００１８】
前板部２４の左右方向の中央部には、グリル用の開口部（図示せず）が設けられている。開口部の内側には、グリル庫５００（図３参照）の前側に設けられたグリル開口（図示せず）が配置されている。開口部には、グリル扉１０が前後方向に移動可能に設けられている。ユーザがグリル扉１０を手前側に引き出すと、グリル扉１０の背面下部に連結した受皿（図示せず）及び焼き網（図示せず）を、グリル庫５００内から同時に取り出すことができる。
【００１９】
前板部２４の前面において、グリル扉１０の右側には、ツマミ１１，１２が設けられている。グリル扉１０の左側には、ツマミ１３が設けられている。ツマミ１１〜１３は押し回し式である。ツマミ１１，１３は、こんろバーナ５，５を点火する場合に、正面視反時計回りに約９０°押し回しされる。点火後は、時計回りに回動させることによって、火力が大火力から小火力に調節される。ツマミ１１，１３を点火前の位置に戻すと、こんろバーナ５，５が消火される。なお、ツマミ１２の操作方法は、ツマミ１１と同じである。ツマミ１２は、グリル庫５００内に設置されるグリルバーナ（図示せず）を点火する場合に押し回しされる。ツマミ１３の左側には、電池ボックス１５が設けられている。電池ボックス１５は、こんろ１に電源を供給する乾電池（図示せず）を格納する。なお、ツマミ１１〜１３は、押し込み式のスイッチ等であってもよい。
【００２０】
図２及び図３を参照し、筐体２の内部構造を説明する。筐体２の内側における左右方向の略中央部には、グリルユニット４０が設置されている。グリルユニット４０は、グリル庫５００と遮熱板７０とを備える。図３に示すように、グリル庫５００は、下から順に、ユニット本体部５０とグリルフード６０を備える。ユニット本体部５０は、上面が開口する断面略Ｕ字状の箱型であり、内部に、被調理物を加熱する加熱空間を形成する。
【００２１】
グリルフード６０は、平面視略矩形の板状である。グリルフード６０は、ユニット本体部５０の開口する上部を塞ぐように、ねじ（図示せず）で固定されている。グリルフード６０は、フード本体部６１、右縁部６２、左縁部６３、排気筒６６等を備える。フード本体部６１は、平面視略矩形状に形成されている。フード本体部６１の下側に、グリルバーナが設けられている。スロート部６５１は、フード本体部６１の後部から右方向に延びる。スロート部６５１の右端部には、ガスを流入させる流入口６５３が設けられている。流入口６５３は、ガス配管２８の下流側端部に設けられたノズル（図示せず）と対向する。該ノズルは、ツマミ１２の回動量に応じた量のガスを、流入口６５３に向かって噴出する。スロート部６５１は、ノズルから噴出されたガスと、ガスの噴出により引き込まれる筐体２内の空気を管内で混合し、燃焼部に供給する。
【００２２】
右縁部６２は、フード本体部６１の右端部から右方に向かって略水平に延設され、平面視前後方向に延びる略帯状に形成されている。右縁部６２の前後方向の略中央部には、円形状の固定孔６２１が設けられている。固定孔６２１の後方には、係止孔６２２が設けられている。左縁部６３は、フード本体部６１の左端部から左方に向かって略水平に延設され、平面視前後方向に延びる略帯状に形成されている。左縁部６３前後方向の略中央部には、固定孔６３１が設けられている。固定孔６３１の後方には、係止孔６３２が設けられている。排気筒６６は、グリルフード６０の後部に設けられている。排気筒６６は、下側から上側に向けた筒状に形成されている。排気筒６６の上端部には、平面視左右方向に長い略矩形状の開口部６６１が設けられている。開口部６６１は、天板３の後部に設けられた排気口部９の直下に配置される。排気筒６６は、グリル庫５００内の燃焼により生じた燃焼ガスを、開口部６６１を介して天板３の排気口部９に導く。
【００２３】
遮熱板７０は、金属板で構成され、グリルフード６０を上方から覆うことができる程度の大きさの平面視略矩形状である。本実施形態では、遮熱板７０は、薄手の鉄板をプレス加工したものに、溶融アルミニウムめっきを施すことで形成される。遮熱板７０は、グリルフード６０の上面を覆うように隙間を空けて支持され、グリルバーナから伝わる熱を遮断することで、天板３の温度が過度に上昇することを防止する。
【００２４】
遮熱板７０の上面の右端側と、筐体２の右側板部２１の上端部との間には、バーナ取付台２６が略水平に架設されている。バーナ取付台２６には、右側のこんろバーナ５が取り付けられている。こんろバーナ５は、バーナ本体部５１とスロート部５６とを備える。バーナ本体部５１は、円環状のバーナキャップ５２が上部に載置されることで、外周面に複数の炎孔部を形成する。バーナ本体部５１の縁部には、フランジ部５７が設けられている。フランジ部５７には、フランジ部５７を上下に貫通する丸穴である一対の固定孔５７１が設けられている。固定孔５７１は、バーナ取付台２６にフランジ部５７を固定するためのねじ孔である。スロート部５６は、バーナ本体部５１の側面の前側下部に接続し、前方向に延びる。スロート部５６の前端部には、ガスを流入させる流入口５６１が設けられている。
【００２５】
他方、遮熱板７０の上面の右端側と、筐体２の左側板部２２の上端部との間には、バーナ取付台２７が略水平に架設されている。バーナ取付台２７は、バーナ取付台２６と左右対称の構造を有する。バーナ取付台２７には、左側のこんろバーナ５が取り付けられている。左側のこんろバーナ５は、右側のこんろバーナ５と同一形状である。フランジ部５７に設けられた一対の固定孔５７１はバーナ取付台２７にバーナ本体部５１を固定するためのねじ孔である。
【００２６】
前板部２４の背面側において、ツマミ１１，１３に対応する位置には、こんろバーナ５，５用のガス量調節装置１８，１９が設けられている。ガス量調節装置１８，１９には、図示しないガス配管からガスが供給される。ガス量調節装置１８，１９はガスを噴出するノズル１８Ａ，１９Ａを備える。ノズル１８Ａ，１９Ａは後方に突出し、ツマミ１１，１３の回動量に応じた量のガスを、こんろバーナ５，５のスロート部５６，５６の流入口５６１，５６１に向けて噴出する。スロート部５６，５６は、ノズル１８Ａ，１９Ａから噴出されるガスと、ガスの噴出により引き込まれる筐体２内の空気をスロート部５６、５６内で混合し、バーナ本体部５１，５１に供給する。
【００２７】
図３から図５を参照して、バーナ取付台２７の詳細構造について説明する。バーナ取付台２６は、バーナ取付台２７と左右対称の構造を有するので、バーナ取付台２６の詳細構造については、説明を適宜省略する。なお、バーナ取付台２６において、バーナ取付台２７の各部と左右対称の位置に設けられる各部の名称については、バーナ取付台２７の各部と同様の名称を用いることとする。バーナ取付台２６，２７は、例えば、板金をプレス加工すること等によって形成される。
【００２８】
バーナ取付台２７は、左右方向に延びる金属製の帯状である。バーナ取付台２７は、本体部３３、開口部３８、第一取付部３１、第二取付部３２、第一設置部３４、第二設置部３５、第三設置部３６、溝部３７等を備える。
【００２９】
本体部３３は、左右方向に長さを有する平面視略矩形状であり、バーナ取付台２７の上面を、左右方向に略水平に延びる面部である。開口部３８は、本体部３３の右端側に寄った位置において、本体部３３を上下に貫通する平面視略矩形状の開口部である。開口部３８の左右方向の長さは、バーナ本体部５１の左右方向の長さよりも僅かに長くされている。本体部３３には、開口部３８を左右に挟む位置に、本体部３３を上下に貫通する円孔である一対の固定穴３３１が設けられている。こんろバーナ５は、フランジ部５７の一対の固定孔５７１と、本体部３３の一対の固定穴３３１とを上下に位置決めした状態で、フランジ部５７の下面を本体部３３に当接させる（図３参照）。このとき、バーナ本体部５１の下部が、開口部３８の内側に位置する。この状態で、フランジ部５７の一対の固定孔５７１と、本体部３３の一対の固定穴３３１とが、ねじ（図示せず）によって締結される。これにより、バーナ取付台２７に、こんろバーナ５が取り付けられる。
【００３０】
第一取付部３１は、バーナ取付台２７の筐体本体部２０における左側板部２２側の端部を構成する。第一取付部３１は、バーナ取付台２７の左端部を、筐体本体部２０の左側板部２２に対して取り付けるための部分である。第一取付部３１には、第一取付部３１の左端から左斜め上方に突出する一対の第一取付片３１１が設けられている。第一取付片３１１は、左側板部２２の固定部２２１に設けられている引掛孔２２２に差し込まれる。図３のＷ領域に示すように、引掛孔２２２は、一対の第一取付片３１１を下方から上側に向けて差し込み可能に設けられている。第一取付部３１は、本体部３３の上面から上方にやや隆起して設けられており、一対の第一取付片３１１が引掛孔２２２に差し込まれた状態で左側板部２２に支持されるバーナ取付台２７の強度を保っている。第一取付部３１の下方には、一対のストッパ３９３が設けられている。ストッパ３９３は、一対の第一取付片３１１が引掛孔２２２に差し込まれた状態で、左側板部２２における固定部２２１の下側の位置に当接することで、本体部３３を略水平に安定して支持する。
【００３１】
なお、バーナ取付台２６の第一取付部３１は、バーナ取付台２６の筐体本体部２０における右側板部２１側の端部を構成する。一対の第一取付片３１１は、第一取付部３１から右斜め上方に突出し、右側板部２１の固定部２１１に設けられている引掛孔２１２に対して、下方から上側に向けて差し込まれる。
【００３２】
第二取付部３２は、バーナ取付台２７の筐体２の内側に配置される側の端部を構成する。第二取付部３２は、バーナ取付台２７の筐体２の内側に配置される側の端部を、グリルユニット４０における遮熱板７０の左端部に対して取り付けるための部分である。一対の第二取付片３２１は、第二取付部３２において、本体部３３の前端部及び後端部の一部が本体部３３から下方に折り返されて形成される爪状部である。第一取付部３１の一対の第一取付片３１１が、左側板部２２に設けられている一対の引掛孔２２２に差し込まれた状態で、本体部３３は左右方向に延びる。このとき、第二取付部３２は、遮熱板７０の左端部に向けて延び、一対の第二取付片３２１が、遮熱板７０の左端部に設けられた後述の係止孔７８４（図６及び図７参照）に対して、上方から差し込まれる。このようにして、バーナ取付台２７は、筐体本体部２０の左側板部２２と、遮熱板７０の左端部との間を架設する。
【００３３】
なお、バーナ取付台２６においても同様に、第一取付部３１の一対の第一取付片３１１が、右側板部２１に設けられている一対の引掛孔２１２に差し込まれた状態で、本体部３３は左右方向に延びる。このとき、第二取付部３２は、遮熱板７０の右端部に向けて延び、一対の第二取付片３２１が、遮熱板７０の右端部に設けられた係止孔７８３（図６及び図７参照）に対して、上方から差し込まれる。このようにして、バーナ取付台２６は、筐体本体部２０の右側板部２１と、遮熱板７０の右端部との間を架設する。
【００３４】
第二取付部３２の右端には、上方に折り返された折り返し部３９１が設けられている。固定穴３３１と本体部３３の左端との間には、上方に折り返された折り返し部３９２が設けられている。折り返し部３９１，３９２のそれぞれの上部は、本体部３３の左右の外側に向けて略水平に延びる。折り返し部３９１，３９２は、加熱等によって下方に撓んだ天板３を下側で支持し、天板３がさらに下方へ変位することを規制する
【００３５】
第一設置部３４は、開口部３８の後方の位置にあたる本体部３３の後端部に設けられ、こんろバーナ５に放電による点火を行うための点火電極５４（図３参照）をバーナ取付台２７に設置するための部位である。第二設置部３５は、本体部３３の後端部において第一設置部３４の右側に設けられ、こんろバーナ５における火炎の有無を検知するための熱電対５５（図３参照）をバーナ取付台２７に設置するための部位である。第三設置部３６は、開口部３８の後端側の縁部に設けられ、内部にサーミスタを格納し、バーナキャップ５２の中央に配置されて鍋底温度等、被加熱物の温度を検知するため鍋センサ５３を（図３参照）をバーナ取付台２７に設置するための板状部である。第三設置部３６は、一対の上係止爪３６１及び一対の下係止爪３６２によって、鍋センサ５３を挟持する。
【００３６】
溝部３７は、本体部３３の前端部に設けられ、本体部３３よりも低い位置で左右方向に略水平に延びる溝状の部位である。溝部３７は、第一壁部３７１、底面部３７２、第二壁部３７３を備える。第一壁部３７１は、本体部３３の前端部が左右方向に所定の長さを有して下方に屈曲し、本体部３３に対して略垂直に延びている。底面部３７２は、第一壁部３７１の下端から前方に屈曲して略水平に延設され、平面視左右方向に延びる略帯状に形成されている。底面部３７２には、バーナ取付台２７の第二取付部３２側の端部である右端部に、底面部３７２を上下方向に貫通する丸孔である固定孔３７４が設けられている。第二壁部３７３は、底面部３７２の前端部が左右方向に所定の長さを有して上方に屈曲し、底面部３７２に対して略垂直に延びている。こんろ１が使用されると、煮こぼれ等により天板３の上側において生じた液体が、バーナ開口８３，８３を介して筐体２の内部に浸入することがある。バーナ取付台２６，２７は、浸入した液体を受け止めることができる。受け止められた液体は、本体部３３の上面を経て、溝部３７の内側に移動する。
【００３７】
図６及び図７を参照して、遮熱板７０の詳細構造について説明する。遮熱板７０は、上壁部７１、右壁部７２、左壁部７３、右縁部７４、左縁部７５等を備える。上壁部７１は、平面部７６、傾斜部７７、周縁部７８を備える。平面部７６は、平面視略矩形状に形成され、前側の両角部はテーパ状に形成されている。傾斜部７７は、平面部７６の前縁部、右縁部、左縁部に沿って設けられ、平面視後側に開口する略コの字型に形成されている。傾斜部７７は、外方に向かって下り傾斜している。周縁部７８は、傾斜部７７の下端部（外端部）に沿って設けられ、平面視後側に開口する略コの字型に形成されている。周縁部７８は、傾斜部７７の下端部から外方に向かって略水平に延びている。
【００３８】
平面部７６は、ビード部７６１，７６２を備える。ビード部７６１は、平面部７６の前後方向の略中央位置にて、後述する位置決め部７８１と位置決め部７８２との間を左右方向に延びる略帯状に形成されている。ビード部７６１は、平面部７６から上方に突出して、平面部７６の左右の両端から傾斜部７７まで延びている。ビード部７６２は、平面部７６の後方位置にて、左右方向に延びる略帯状に形成されている。ビード部７６２は、平面部７６から上方に突出して、平面部７６の右端部から、平面部７６の左縁部における傾斜部７７まで延びている。ビード部７６１，７６２は、例えば平面部７６を反対側からプレス加工することで形成される。ビード部７６１，７６２は、平面部７６と傾斜部７７の剛性を向上する。
【００３９】
平面部７６の前側半分の領域には、平面部７６から上方に突出して、中央側から右斜め前方、中央側から左斜め前方、中央側から右斜め後方、中央側から左斜め後方にそれぞれ延びる４本のビード部７６４が設けられている。ビード部７６４も、例えば平面部７６を反対側からプレス加工することで形成される。ビード部７６４は、平面部７６の剛性を向上する。
【００４０】
周縁部７８の右側部の上面には、位置決め部７８１が設けられている。位置決め部７８１には、前後一対の係止孔７８３が設けられている。位置決め部７８１の外縁部には、周縁部７８から上方に突出して、位置決め部７８１の前縁部、左縁部、後縁部に沿って設けられ、平面視右側に開口する略コの字型に形成されたビード部７８５が設けられている。ビード部７８５は、周縁部７８における位置決め部７８１の剛性を向上する。周縁部７８の左側部の上面にも、位置決め部７８２が設けられている。位置決め部７８２には、前後一対の係止孔７８４が設けられている。位置決め部７８２の外縁部には、周縁部７８から上方に突出して、位置決め部７８２の前縁部、右縁部、後縁部に沿って設けられ、平面視左側に開口する略コの字型に形成されたビード部７８６が設けられている。ビード部７８６は、周縁部７８における位置決め部７８２の剛性を向上する。周縁部７８の前端部には、周縁部７８から上方に突出して左右方向に延びる略帯状のビード部７６３が設けられている。ビード部７６３は、周縁部７８の前端側の剛性を向上する。ビード部７６３，７８５，７８６は、例えば周縁部７８を反対側からプレス加工することで形成される。
【００４１】
右壁部７２は、周縁部７８の右端部から下方に向かって略垂直に延設されている。左壁部７３は、周縁部７８の左端部から下方に向かって略垂直に延設されている。右縁部７４は、右壁部７２の下端部から右側方に略水平に突出し、平面視前後方向に延びる略帯状に形成されている。右縁部７４の長手方向略中央部には、上下方向に貫通する円形状の固定孔７４１が設けられている。固定孔７４１の後方には、左側方に略矩形状に窪んだ切欠き部７４５が設けられている。切欠き部７４５の内縁部には、下方に突出する係止爪７４６が設けられている。左縁部７５は、左壁部７３の下端部から左側方に略水平に突出し、平面視前後方向に延びる略帯状に形成されている。左縁部７５の長手方向略中央部には、上下方向に貫通する円形状の固定孔７５１が設けられている。固定孔７５１の後方には、右側方に略矩形状に窪んだ切欠き部７５５が設けられている。切欠き部７５５の内縁部には、下方に突出する係止爪７５６が設けられている（図７参照）。
【００４２】
図２及び図３を参照して、バーナ取付台２６，２７が、右側板部２１及び左側板部２２のそれぞれと、遮熱板７０の左右の端部とを架設した状態における各部の配置について説明する。図３に示すように、グリルユニット４０のユニット本体部５０は、筐体２の内側に上方から落とし込まれた状態で、筐体２内に取り付けられる。グリルフード６０は、ユニット本体部５０の上部に配置される。
【００４３】
遮熱板７０は、グリルフード６０の上面を覆うようにして配置される。具体的には、遮熱板７０の右縁部７４が、グリルフード６０の右縁部６２の上面に載置され、遮熱板７０の左縁部７５が、グリルフード６０の左縁部６３の上面に載置される。このとき、遮熱板７０の右縁部７４に設けられている係止爪７４６（図７参照）が、グリルフード６０の右縁部６２に設けられた係止孔６２２に上方から係止する。また、遮熱板７０の左縁部７５に設けられている係止爪７５６（図７参照）が、グリルフード６０の左縁部６３に設けられた係止孔６３２に上方から係止する。これにより、グリルフード６０の上面に対して隙間を空けた状態で、遮熱板７０が位置決めされる。この状態で、右縁部６２の固定孔６２１と、右縁部７４の固定孔７４１とが、上下方向に重なり合う。また、左縁部６３の固定孔６３１と、左縁部７５の固定孔７５１とが、上下方向に重なり合う。
【００４４】
このように、グリルユニット４０の配置が完了した状態で、グリルユニット４０の右側に、バーナ取付台２６が配置される。具体的には、バーナ取付台２６の右端部に設けられている一対の第一取付片３１１が、筐体２の右側板部２１の固定部２１１に設けられている一対の引掛孔２１２に差し込まれる。この状態で、バーナ取付台２６の左端側は、遮熱板７０の右端側の位置決め部７８１に正確に配置される。バーナ取付台２６の左端側に設けられた一対の第二取付片３２１が、位置決め部７８１に設けられた一対の係止孔７８３に係止される。これにより、バーナ取付台２６は、右側板部２１と、遮熱板７０の位置決め部７８１との間を略水平に架設される。そして、バーナ取付台２６の底面部３７２の左端側は、遮熱板７０の右縁部７４の上面に配置される。右縁部７４の固定孔７４１に対し、底面部３７２の左端側に設けられた固定孔３７４が上方向に重なり合う。その後、互いに重なり合う固定孔６２１，７４１，３７４に対し、ねじ（図示せず）が上方から締結される。
【００４５】
また、バーナ取付台２７も、バーナ取付台２６と同様に配置される。バーナ取付台２７の左端部に設けられている一対の第一取付片３１１が、筐体２の左側板部２２の固定部２２１に設けられている一対の引掛孔２２２に差し込まれる。この状態で、バーナ取付台２７の右端側は、遮熱板７０の左端側の位置決め部７８２に正確に配置される。バーナ取付台２７の右端側に設けられた一対の第二取付片３２１が、位置決め部７８２に設けられた一対の係止孔７８４に係止される。そして、バーナ取付台２７の底面部３７２の右端側は、遮熱板７０の左縁部７５の上面に配置される。左縁部７５の固定孔７５１に対し、底面部３７２の左端側に設けられた固定孔３７４が上方向に重なり合う。その後、互いに重なり合う固定孔６３１，７５１，３７４に対し、ねじ（図示せず）が上方から締結される。
【００４６】
このように、グリルユニット４０及びバーナ取付台２６，２７が配置された状態で、こんろ１が使用されると、バーナ開口８３，８３を介して筐体２の内部に浸入した液体が、天板３の下面側を伝うこと等で、遮熱板７０に向けて滴下することがある。例えば、液体が上壁部７１の平面部７６に滴下した場合、液体が傾斜部７７を経て、周縁部７８まで至る可能性がある。このような場合であっても、周縁部７８の右端側には、位置決め部７８１を取り囲むようにビード部７８５が設けられている。また、周縁部７８の左端側には、位置決め部７８２を取り囲むようにビード部７８６が設けられている。ビード部７８５，７８６は、周縁部７８から上方に突出して設けられているので、周縁部７８に生じた液体は、ビード部７８５，７８６に阻まれ、位置決め部７８１，７８２の内側に入り込みにくい。よって、こんろ１は、ビード部７８５，７８６を設けることで、遮熱板７０に液体が滴下しても、一対の係止孔７８３，７８４を介して、グリルユニット４０の内部に液体が浸入するような不具合を防止できる。
【００４７】
また、こんろ１の使用により生じた液体が、バーナ開口８３，８３を介して筐体２の内部に浸入し、バーナ取付台２６，２７の本体部３３に向けて滴下することがある。この場合、本体部３３に滴下し、第二取付部３２に向けて移動した液体が、一対の第二取付片３２１を伝うこと等で、一対の係止孔７８３，７８４を介して遮熱板７０の下面側に液体が浸入することがある。この場合であっても、本実施形態では、グリルユニット４０がグリル庫５００と遮熱板７０とからなっているので、遮熱板７０の下面側に液体が浸入するに過ぎず、グリル庫５００の内部にまで液体が浸入するような不具合が防止される。言い換えると、バーナ取付台２６，２７のグリルユニット４０側の端部は、グリル庫５００に直接取り付けられるのではなく、遮熱板７０の左右の端部に取り付けられている。したがって、バーナ取付台２６，２７に液体が滴下しても、グリル庫５００の内部には液体が侵入し難い。
【００４８】
本実施形態では、こんろ１は、固定部２１１を右側板部２１の上部における前後方向略中央部に、固定部２２１を左側板部２２の上部における前後方向略中央部において、それぞれ設けている。右側板部２１及び左側板部２２における固定部２１１，２２１の上下方向における位置は、従来のこんろよりも、比較的高い位置である。このため、筐体２の上部に天板３が配置された状態では、固定部２１１，２２１が天板３に隠れて目立ちにくくなる（図１参照）。よって、こんろ１の美観が向上する。本実施形態では、特に、天板３に外周部８９が設けられているので、外周部８９によって右側板部２１及び左側板部２２の上部が覆われ、固定部２１１，２２１が、より目立ちにくくなっている。こんろ１の使用者は、こんろ１の前方において立った姿勢でこんろ１を使用することが多い。このため、仮に、天板３に外周部８９が設けられないような場合であっても、固定部２１１，２２１が天板３の上面８１の陰に隠れ、使用者の視界に入りにくくなる。よって、こんろ１は、例えば、固定部２１１，２２１が、本実施形態よりも右側板部２１及び左側板部２２における低い位置にあるよりも、固定部２１１，２２１を目立ちにくくできる。
【００４９】
このように、バーナ取付台２６，２７は、右側板部２１及び左側板部２２のそれぞれと、遮熱板７０の左右の端部とを、比較的高い位置において架設する。バーナ取付台２６，２７が、比較的高い位置において、右側板部２１及び左側板部２２のそれぞれと、筐体２内のグリルユニット４０側とを略水平に架設する場合、バーナ取付台２６，２７の第二取付部３２の位置が、グリル庫５００よりも上方に位置する。この場合、バーナ取付台２６，２７のそれぞれの第二取付部３２を、グリル庫５００に取り付けることができない。このため、本実施形態では、バーナ取付台２６，２７のそれぞれの第二取付部３２を、遮熱板７０の左右の端部に取り付けている。こんろ１全体の重量を増加させないようにするため等の理由で、遮熱板７０は、比較的薄手の金属板で形成されることがある。遮熱板７０の上壁部７１には複数のビード部７６１，７６２，７６３，７６４，７８５，７８６が設けられているので、上壁部７１の剛性が補強されている。特に、ビード部７８５，７８６は、位置決め部７８１，７８２を取り囲んで補強している。したがって、遮熱板７０は歪みにくく、位置決め部７８１，７８２の剛性も担保されているので、左右の端部において、バーナ取付台２６，２７の第二取付部３２を安定して支持できる。よって、バーナ取付台２６，２７は、筐体２の内部の従来よりも高い位置においても、こんろバーナ５，５のそれぞれを、筐体２の内側において安定して取り付けることができる。
【００５０】
ビード部７６１は、平面部７６及び傾斜部７７において、位置決め部７８１と位置決め部７８２との間を左右方向に延びている。このため、グリルユニット４０及びバーナ取付台２６，２７が筐体２内に配置された状態では、図２に示すように、筐体２の前後方向略中央部の同じ位置において、バーナ取付台２６，２７と、ビード部７６１とが、左右方向に並んで延びる。この場合、バーナ取付台２６，２７と、ビード部７６１とが、筐体２の内側を左右方向に渡す一つの梁として機能するので、筐体２が歪みにくくなり、筐体２の剛性が高まる。よって、こんろ１全体の強度が増す。したがって、こんろ１は、バーナ取付台２６，２７を、筐体２の内部の比較的高い位置に取り付けても、こんろバーナ５，５のそれぞれを、筐体２の内部に安定して配置させることができる。
【００５１】
以上説明したように、筐体２の右側壁をなす右側板部２１の上部における前後方向略中央部には、前後方向に並ぶ一対の引掛孔２１２を内側に備える固定部２１１が設けられている。筐体２の左側壁をなす左側板部２２の上部における前後方向略中央部には、前後方向に並ぶ一対の引掛孔２２２を内側に備える固定部２２１が設けられている。固定部２１１，２２１は、右側板部２１及び左側板部２２の上下方向における中央よりも上方に設けられているので、右側板部２１及び左側板部２２の上下方向における中央部及び中央部よりも下方に設けられるよりも、使用者の視界に入りにくく、目立ちにくい。特に、固定部２１１，２２１が、天板３の外周部８９によって覆われる位置にある場合、固定部２１１，２２１が非常に目立ちにくくなる。筐体２の内側における左右方向の略中央部には、グリルユニット４０が設置されている。グリルユニット４０は、グリル庫５００と遮熱板７０とを備える。遮熱板７０は、グリル庫５００のグリルフード６０を上方から覆う。遮熱板７０の周縁部７８における右側部の上面には、前後一対の係止孔７８３を内側に備える位置決め部７８１が設けられている。周縁部７８における左側部の上面には、前後一対の係止孔７８４を内側に備える位置決め部７８２が設けられている。バーナ取付台２７は、第一取付部３１の一対の第一取付片３１１が、左側板部２２の一対の引掛孔２２２に差し込まれた状態で、本体部３３は左右方向に延びる。このとき、第二取付部３２は、遮熱板７０の左端部に向けて延び、一対の第二取付片３２１が、係止孔７８３に対して、上方から差し込まれる。このようにして、バーナ取付台２７は、筐体本体部２０の左側板部２２と、遮熱板７０の左端部との間を架設する。バーナ取付台２６においても同様に、第一取付部３１の一対の第一取付片３１１が、右側板部２１に設けられている一対の引掛孔２１２に差し込まれた状態で、本体部３３は左右方向に延びる。このとき、第二取付部３２は、遮熱板７０の右端部に向けて延び、一対の第二取付片３２１が、上壁部７１に設けられた係止孔７８４に対して、上方から差し込まれる。このようにして、バーナ取付台２６は、筐体本体部２０の右側板部２１と、遮熱板７０の右端部との間を架設する。例えば、天板３側から筐体２の内部に向けて浸入した液体が、バーナ取付台２６，２７によって受け止められることがある。こんろ１は、バーナ取付台２６，２７の第二取付部３２を取り付けるための位置決め部７８１，７８２を、グリル庫５００ではなく遮熱板７０の左右の端部に設けている。したがって、バーナ取付台２６，２７によって受け止められた液体が、グリル庫５００の内部に浸入し難い。このようなバーナ取付台２６，２７の取付手法の工夫により、こんろ１は、こんろ１に生ずる不具合を解消しつつ、こんろの美観を向上できる。
【００５２】
遮熱板７０は、平面部７６と傾斜部７７の剛性を向上するビード部７６１を備える。ビード部７６１は、遮熱板７０の平面部７６の前後方向の略中央位置にて、位置決め部７８１と位置決め部７８２との間を左右方向に延びる。このため、グリルユニット４０及びバーナ取付台２６，２７が筐体２内に配置された状態では、筐体２の前後方向略中央部の同じ位置において、バーナ取付台２６，２７と、ビード部７６１とが、左右方向に延びる。よって、筐体２が歪みにくくなるので、バーナ取付台２６，２７を、従来よりも比較的高い位置に設けても、筐体２の内部において、バーナ取付台２６，２７が安定する。また、こんろ１全体の強度が向上する。したがって、こんろ１は、バーナ取付台２６，２７を従来よりも上方に設けても、こんろ１全体の強度が低下するような不具合を解消しつつ、こんろ１の美観を向上できる。
【００５３】
遮熱板７０の位置決め部７８１の外縁部にはビード部７８５が、位置決め部７８２の外縁部にはビード部７８６が、それぞれ設けられている。ビード部７８５，７８６は、周縁部７８における位置決め部７８１，７８２の剛性を向上する。よって、こんろ１は、バーナ取付台２６，２７を従来よりも上方に設けても、遮熱板７０の左右の端部において、バーナ取付台２６，２７の第二取付部３２を安定して支持できる。遮熱板７０に液体が受け止められることがあるが、ビード部７８５，７８６が位置決め部７８１，７８２の内側に液体が入り込むことを防止する。よって、こんろ１は、遮熱板７０に液体が滴下しても、一対の係止孔７８３，７８４を介して、グリルユニット４０の内部に液体が浸入することを防止できる。したがって、こんろ１は、筐体２の内部に浸入した液体による不具合を解消しつつ、こんろ１の美観を向上できる。
【００５４】
本実施形態において、こんろ１が、本発明の「こんろ」に相当する。グリルユニット４０が、本発明の「グリルユニット」に相当する。筐体２が、本発明の「筐体」に相当する。右側板部２１及び左側板部２２が、本発明の「側壁」に相当する。天板３が、本発明の「天板」に相当する。遮熱板７０が、本発明の「遮熱板」に相当する。バーナ取付台２６，２７が、本発明の「取付台」に相当する。固定部２１１，２２１が、本発明の「第一取付部」に相当する。位置決め部７８１，７８２が、本発明の「第二取付部」に相当する。ビード部７６１が、本発明の「第一ビード部」に相当する。ビード部７８５，７８６が、本発明の「第二ビード部」に相当する。
【００５５】
なお、本発明は上記実施形態に限定されるものではなく、種々の変更が可能である。上記実施形態では、ビード部７６１，７６２，７６３，７６４，７８５，７８６は、遮熱板７０の上壁部７１において上方に突出して設けられているが、ビード部７６１，７６２，７６３，７６４，７８５，７８６の一部又は全部が、上壁部７１において下方に突出して設けられてもよい。
【００５６】
上記実施形態のこんろ１はグリル付きテーブルこんろであるが、ビルトインタイプのこんろであってもよい。また、こんろ１は、左右一対の２つのこんろバーナ５を備えるが、こんろバーナ５の数は２つに限らず、１つでもよく、３つ以上であってもよい。この場合、こんろバーナ５の数に応じた数のバーナ取付台２６，２７が、こんろ１に設けられればよい。
【００５７】
バーナ取付台２６，２７の第一取付部３１に設けられる第一取付片３１１の個数、第一取付片３１１の形状、第二取付部３２に設けられる第二取付片３２１の個数、第二取付片３２１の形状は、上記実施形態に限らず、任意に変更可能である。また、右側板部２１の固定部２１１に設けられる引掛孔２１２の個数、引掛孔２１２の形状、左側板部２２の固定部２２１に設けられる引掛孔２２２の個数、引掛孔２２２の形状も、上記実施形態に限らず、任意に変更可能である。遮熱板７０の位置決め部７８１に設けられる係止孔７８３の個数、係止孔７８３の形状、位置決め部７８２に設けられる係止孔７８４の個数、係止孔７８４の形状も、上記実施形態に限らず、任意に変更可能である。
【００５８】
上記実施形態では、バーナ取付台２６，２７がプレス加工によって形成されているが、この他、バーナ取付台２６，２７が、複数の部材を組み合わせて構成されていてもよい。
【００５９】
上記実施形態では、遮熱板７０がプレス加工によって形成されているが、この他、遮熱板７０が、複数の部材を組み合わせて構成されていてもよい。
【符号の説明】
【００６０】
１    こんろ
２    筐体
３    天板
２１    右側板部
２２    左側板部
２６，２７    バーナ取付台
４０    グリルユニット
７０    遮熱板
２１１，２２１    固定部
７８１，７８２    位置決め部
７６１，７８５，７８６    ビード部
【図１】
0006692540.tif 000002
【図２】
0006692540.tif 000003
【図３】
0006692540.tif 000004
【図４】
0006692540.tif 000005
【図５】
0006692540.tif 000006
【図６】
0006692540.tif 000007
【図７】
0006692540.tif 000008